(57)【特許請求の範囲】
【請求項１】
電線を接続する一対または複数対のブッシングが箱型のケースの側板を貫通して固定され、該ブッシングの各内端部に固定電極が取り付けられ、各固定電極がスイッチによって接続・遮断される電線用開閉器であって、
対向する側面に各ブッシングを固定し、かつ、各ブッシングの内端部に取り付けられた固定電極間にスイッチを配置することのできる大きさのケースを使用し、前記対向する側面のうちの一方の側面に前記一対または複数対のブッシングを固定すると共に、前記対向する側面のうちの他方の側面にブッシングを固定しないことによってケース内に空きスペースを設け、該空きスペース内に一方の固定電極と電気的に接続される避雷器が収納されていることを特徴とする電線用開閉器。
【請求項２】
前記スイッチは、一端部が一方の固定電極に電気的に接続された軸に保持され、かつ、他端部が他方の固定電極に接離するように揺動する可動電極を備えていることを特徴とする請求項１に記載の電線用開閉器。
【請求項３】
前記軸は、ケースの外側で揺動するレバーと連結されていることを特徴とする請求項２に記載の電線用開閉器。
【請求項４】
前記対向する側面のうちの他方の側面に情報が表示されていることを特徴とする請求項１から３のいずれか一つに記載の電線用開閉器。
【請求項５】
前記一対または複数対のブッシングは、上下に配置されていることを特徴とする請求項１から４のいずれか一つに記載の電線用開閉器。
【発明の詳細な説明】
【技術分野】
【０００１】
本発明は、電柱などに架設された配電線と引込線、あるいは配電線と配電線のような各電線を接続するブッシングを備えた電線用開閉器に関し、詳しくは、ブッシングが箱型のケースの側板を貫通して固定されている電線用開閉器に関する。
【背景技術】
【０００２】
電柱に架設された電線、例えば配電線と引込線、あるいは配電線と配電線は、電柱に取り付けられた電線用開閉器（以下、主として「開閉器」という。）に適宜、接続されている。特許文献１に開示された開閉器は、図６に示すように、箱型のケース１１０の対向する各側面１１１，１１２にブッシング１０１，１０２が貫通した状態で固定されている。ブッシング１０１，１０２は３本一組、二組で一対とされており、合計６本固定されている。一方の組（図面において左側）のブッシング１０１は電源側として配電線（図６において図示せず）が接続され、他方の組（図面において右側）のブッシング１０２は負荷側として引込線（図６において図示せず）が接続される。
【０００３】
各ブッシング１０１，１０２がケース１１０内に突出している内端部には、固定電極１０３が取り付けられ（負荷側のみ図示する。）、この固定電極１０３に接離するスイッチ１２０によって各ブッシング１０１，１０２に接続された配電線と引込線とが接続された状態と遮断された状態とに切り替えられる。
【０００４】
スイッチ１２０は、ケース１１０内で固定電極１０３に接離する可動電極１２２を備えている。可動電極１２２は、従動軸（図示せず）に支持されて揺動するアーム１２２ａと、このアーム１２２ａの両端部に取り付けられた接点部１２２ｂとを備えている。そして、従動軸は、原動軸１２３に連動して周方向に回動する。原動軸１２３は、ブッシング１０１，１０２を固定していないケース１１０の両側面１１３，１１４を貫通し、従動軸と原動軸１２３との間に間軸（図示せず）が挟まれている。
【０００５】
原動軸１２３がケース１１０の一方の側面１１３からに突出している一端部には、レバー１２４が固定されている。レバー１２４の中心に原動軸１２３が固定され、レバー１２４の両端部に操作紐（図示せず）が取り付けられる。原動軸１２３がケース１１０の他方の側面１１４から突出している他端部には、スイッチ１２０の「入」「切」の状態を指し示すための指針（図示せず）が取り付けられている。このような開閉器は、通常、スイッチ１２０が入とされ、各可動電極１２２と各固定電極１０３とが接合し、図７に示すように配電線３１と引込線３２とが接続されている。
【０００６】
配電線３１と引込線３２は、例えば電柱Ｐに取り付けられた開閉器に接続されている。引込線３２は、建築物Ｂ内の電気室Ｒなどに引き込まれる。そして、引込線３２を引き込んでいる電気室Ｒを点検するなど、配電線３１と引込線３２とを遮断するときは、スイッチ１２０を「切」とするため、操作紐を引っ張り、レバー１２４を動かす。すると、アーム１２２ａが動き、各可動電極１２２が各固定電極１０３から離隔することによって、配電線３１と引込線３２とが遮断される。
【０００７】
【特許文献１】特開平８−２７３４９６号公報
【発明の開示】
【発明が解決しようとする課題】
【０００８】
従来の開閉器の可動電極１２２は、揺動するアーム１２２ａの両端部に接点部１２２ｂを取り付けたものであるため、この可動電極１２２に接離する固定電極１０３を取り付けたブッシング１０２は、ケース１１０の対向する各側面１１１，１１２に固定されている。したがって、引込線３２を接続する負荷側のブッシング１０２は、図７に示すように建築物Ｂの方に突出し、引込線３２が建築物Ｂに近接する。引込線３２と建築物Ｂとの間隔が１．２ｍ以内となると、危険な状態となる。
【０００９】
しかし、電柱Ｐが例えば狭い歩道に設置されると、引込線３２と建築物Ｂとの間隔を１．２ｍ以上確保することができない場合がある。また、建築物Ｂを解体するときに使用される防音シートは、建築物Ｂの壁面から突出して張られるため、引込線３２に近接することがある。
【００１０】
さらに、開閉器は図８に示すように、上下に架設された２回線の配電線３１，３１を接続する場合がある。この場合、例えば、上側の配電線３１から分岐するリード線３３が一方のブッシング１０１に接続され、下側の配電線３１から分岐するリード線３３が他方のブッシング１０２に接続される。各ブッシング１０１，１０２は、対向する側面に固定されていることから、各リード線３３，３３は、反対方向に導出される。したがって、高所作業車のバケットが開閉器付近に上昇して作業する場合にあっては、リード線３３が作業の邪魔になり、また、作業空間を確保することができない場合がある。
【００１１】
そこで、本発明は、配電線と引込線あるいは配電線と配電線のような各電線を同一の方向に接続することができるようにした電線用開閉器を提供することを課題とする。
【課題を解決するための手段】
【００１２】
本発明に係る電線用開閉器は、電線を接続する一対または複数対のブッシングが箱型のケースの側板を貫通して固定され、該ブッシングの各内端部に固定電極が取り付けられ、各固定電極がスイッチによって接続・遮断される電線用開閉器であって、対向する側面に各ブッシングを固定し、かつ、各ブッシングの内端部に取り付けられた固定電極間にスイッチを配置することのできる大きさのケースを使用し、前記対向する側面のうちの一方の側面に前記一対または複数対のブッシングを固定すると共に、前記対向する側面のうちの他方の側面にブッシングを固定しないことによってケース内に空きスペースを設け、該空きスペース内に一方の固定電極と電気的に接続される避雷器が収納されていることを特徴としている。
【００１３】
この電線用開閉器によれば、ブッシングがケースの一つの側面に固定されていることにより、ブッシングに接続される電線は同一方向に向けられる。したがって、配電線と引込線とを接続する電線用開閉器にあっては、引込線は建築物の方を向かないようにブッシングに接続されるため、狭い歩道に立設された電柱にも安全性を確保して取り付けることができる。また、２回線の配電線を接続する電線用開閉器にあっては、電線用開閉器の一方側にのみリード線が導出されるため、高所作業車での作業を効率的に行うことができ、また、電線用開閉器のブッシングが固定されていない他方側を作業領域とすることができる。
また、本発明に係る電線用開閉器は、ブッシングがケースの一つの面に固定されることにより、従来の電線用開閉器よりも小型化することができる。しかし、従来と同じ大きさのケースを使用することにより、避雷器を収納することができる。この避雷器は軸と電気的に接続されているため、スイッチが「入」の状態で作動する。
【００１４】
また、前記本発明に係る電線用開閉器において、前記スイッチは、一端部が一方の固定電極に電気的に接続された軸に保持され、かつ、他端部が他方の固定電極に接離するように揺動する可動電極を備えていることが好ましい。
【００１５】
この電線用開閉器によれば、軸が一方の固定電極に電気的に接続され、この軸に保持された可動電極が他方の固定電極と接離するように揺動するスイッチによって各ブッシングに取り付けられた固定電極同士を接続した状態と遮断した状態とに「入」「切」することができる。すなわち、可動電極が他方の固定電極と接合することにより、スイッチが「入」の状態となる。そして、可動電極が他方の固定電極から離隔することにより、スイッチが「切」の状態となる。可動電極は、一端部が軸に保持されて揺動し、他端部が固定電極と接離するようにされているため、各固定電極を取り付けているブッシングをケースの一つの側面に固定することができる。
【００１６】
また、前記本発明に係る電線用開閉器において、前記軸は、ケースの外側で揺動するレバーと連結されていることが好ましい。
【００１７】
この電線用開閉器によれば、軸がケースの外側で揺動するレバーと連結されていることにより、レバーを操作してアームを揺動することができる。レバーには、操作紐や操作棒などの遠隔操作手段が取り付けられる。したがって、電線用開閉器が電柱の上端部付近の高所に取り付けられても、遠隔操作でスイッチを「入」「切」することができる。
【００１８】
また、前記本発明に係る電線用開閉器において、前記対向する側面のうちの他方の側面に情報が表示されていてもよい。
【００１９】
この電線用開閉器によれば、ブッシングが突設されていない面に、例えば「高電圧危険」というような情報を表示することにより、事故を防止することができる。なお、ブッシングがケースの一つの側面に固定され、ケースの他方の側面にブッシングが設けられていないことにより、ケースの他方の側面に情報を表示することができる。
【００２２】
また、前記本発明に係る電線用開閉器において、前記一対または複数対のブッシングは、上下に配置されていることが好ましい。
【００２３】
この電線用開閉器によれば、一対または複数対のブッシングが上下に配置されていることにより、上側のブッシングに配電線を接続し、下側のブッシングに引込線を接続し、また、上下に架設された２系統の配電線において、各系統の配電線から導出されるリード線を上側のブッシングと下側のブッシングとに接続し、電線がからまないように配線することができる。また、スイッチが揺動するアームを備えているときは、アームが水平姿勢と傾斜姿勢とに向きを変更するだけで、可動電極が固定電極に接離するようにすることができる。
【発明の効果】
【００２４】
本発明によれば、ブッシングがケースの一つの側面に固定されていることにより、このブッシングに配電線と引込線とが接続される場合においては、引込線が建築物の方へ導出しないようにすることができる。したがって、建築物に近接して設置された電柱にもこの電線用開閉器を取り付けることにより、引込線を安全に接続することができる。この結果、電線用開閉器は、取り付ける場所の制約が少なくなり、汎用性を向上させることができる。
【００２５】
また、この電線用開閉器が２回線の配電線を接続するために電柱に取り付けられたときは、ブッシングに接続されるリード線が同じ側に導出され、また、反対側に作業領域を設けることができるため、電線用開閉器の周囲での作業性を向上させることができる。
【発明を実施するための最良の形態】
【００２６】
本発明に係る電線用開閉器の一実施形態について図１ないし図５を参照しながら説明する。この開閉器は、箱型のケース１０の一つの側面１１に一対または複数対のブッシング１，２が貫通して固定されていることを特徴としている。図１に示したブッシング１，２は、３本一組で一対、すなわち６本固定される場合を示しているが、ブッシング１，２は１本、２本または４本以上を一組とし、また二対以上で構成されていてもよい。いずれにしても、一組のブッシング１は上に、他の一組のブッシング２は下にというように、上下に配置されている。
【００２７】
そして、ブッシング１，２のケース１０内の内端部には、図２（ｂ）および図３（ｂ）に示すように、固定電極３，３が取り付けられている。各固定電極３は、スイッチ２０が「入」「切」されることによって接続・遮断される。スイッチ２０は、一方の固定電極３に電気的に接続された軸２１を中心に揺動し、かつ、他方の固定電極３に接離する可動電極２２を備えている。図示したように、軸２１が下側の固定電極３に接続され、可動電極２２が上側の固定電極３に接離する場合に限定されず、上側の固定電極３に軸２１が接続され、下側の電極に可動電極２２が接離するようにしてもよい。
【００２８】
いずれにしても、可動電極２２は図示したように、一端部が前記軸２１に保持されたアーム２２ａの他端部に、他方の固定電極３と接離する接点部２２ｂが設けられたもので、アーム２２ａの他端部が折曲されて接点部２２ｂが設けられている。他方の固定電極３は、アーム２２ａの先端部の接点部２２ｂを抜き挿しする有底曲管形状に形成されている。なお、可動電極２２は棒状とし、他の固定電極３は板状とするなど、可動電極２２と固定電極３の形状は特定するものではない。
【００２９】
そして、前記軸２１は、ケース１０の外側で揺動するレバー２４と連結されている。軸２１は、アーム２２ａとレバー２４とを１本で連結するものであってもよいし、図示しない間軸を介して連結するものであってもよい。いずれにしても、レバー２４の中心に軸２１が固定され、レバー２４の各端部に操作紐や操作棒などの遠隔操作手段（図示せず）が取り付けられる。遠隔操作手段が引かれることにより、レバー２４が揺動し、アーム２２ａが連動して揺動して、接点部２２ｂが他方の固定電極３に接離する。
【００３０】
また、レバー２４を連結する軸２１は、ブッシング１，２を固定していない側の両側面１３，１４から突出するように架け渡され、レバー２４を連結していない側の端部には指針２５が固定されている。この指針２５が指し示すケース１０の側面１４には、「入」と「切」の文字が表示されている。
【００３１】
また、ブッシング１，２を固定した面と対向するケース１０の側面１２には、「高圧危険」というような情報が表示されている（図５参照）。ケース１０の一側面１１にブッシング１，２が固定され、対向する一側面１２にはブッシング１，２などの部品が固定されていないことから情報を表示することができる。「高圧危険」と表示されることにより、事故を防止することができる。
【００３２】
そして、ケース１０内には、避雷器５が収納されている。ケース１０内には、一端部が軸２１に保持されたアーム２２ａが備えられていることから、従来のケース１０を使用すると、ケース１０内に空きスペースが生じる。この空きスペースに避雷器５を設置することができる。避雷器５は、軸２１と電気的に接続され、スイッチ２０が「入」の状態、すなわち、可動電極２２が他方の固定電極３に接合している状態において、配電線３１と接続される。
【００３３】
スイッチ２０は通常、図２に示すように、「入」の状態とされている。すなわち、可動電極２２と他方の固定電極３とが接合することにより、両固定電極３，３が接続されている。このとき、避雷器５も配電線３１と接続され、安全性が確保されている。そして、遠隔操作手段を操作することにより、レバー２４を動かすと、図３に示すようにスイッチ２０が「切」とされ、可動電極２２が他方の固定電極３から離隔し、両固定電極３，３は遮断される。
【００３４】
このような開閉器のブッシング１，２には、図４に示すように、電柱Ｐに架設された配電線３１と引込線３２とが接続される。配電線３１は上側のブッシング１に接続され、引込線３２は下側のブッシング２に接続されるが、両ブッシング１，２がケース１０の一つの側面１１に固定されていることから、配電線３１も引込線３２も建築物Ｂとは反対向きに導出される。したがって、配電線３１を取り付ける電柱Ｐが狭い歩道などに設置されても、引込線３２は建築物Ｂに近接せず、安全性を確保することができる。
【００３５】
また、開閉器は、図５に示すように、２系統の配電線３１，３１のそれぞれから分岐したリード線３３，３３がケース１０の一つの側面１１に固定されたブッシング１，２に接続される。上側のブッシング１に接続されたリード線３３も、下側のブッシング２に接続されたリード線３３も同じ方向に導出されるため、他方向には作業領域が設けられる。したがって、高所作業車のバケットが上昇して作業するときは、作業効率が向上する。
【００３６】
なお、本発明は前記の実施形態に限定することなく特許請求の範囲に記載された発明特定事項の範囲内において種々変更することができる。例えば、ケース１０内に避雷器５を収納せず、コンパクト化を図ってもよい。また、可動電極２２は、レバー２４によって揺動せず、ボタンスイッチやリモコンなどによって揺動するようにしてもよい。また、一対または複数対のブッシング１，１は、設置状況に合わせて横方向に配置するものとしてもよい。
【図面の簡単な説明】
【００３７】
【図１】本発明に係る電線用開閉器の一実施形態を示す斜視図である。
【図２】本発明に係る電線用開閉器の「入」の状態を示す一実施形態であって、（ａ）は正面図、（ｂ）は断面正面図である。
【図３】本発明に係る電線用開閉器の「切」の状態を示す一実施形態であって、（ａ）は正面図、（ｂ）は断面正面図である。
【図４】本発明に係る電線用開閉器の使用例を示す正面図である。
【図５】本発明に係る電線用開閉器の図４と異なる使用例を示す斜視図である。
【図６】従来の電線用開閉器の一部断面正面図である。
【図７】従来の電線用開閉器の使用例を示す正面図である。
【図８】従来の電線用開閉器の図７と異なる使用例を示す斜視図である。
【符号の説明】
【００３８】
１……ブッシング
２……ブッシング
３……固定電極
５……避雷器
１０…ケース
１１…（ブッシングが固定される）側面
１２…（情報が表示される）側面
２０…スイッチ
２２…可動電極
２４…レバー
３１…配電線（電線）
３２…引込線（電線）
３３…リード線（電線）
【図１】
0004721884.tif 000002
【図２】
0004721884.tif 000003
【図３】
0004721884.tif 000004
【図４】
0004721884.tif 000005
【図５】
0004721884.tif 000006
【図６】
0004721884.tif 000007
【図７】
0004721884.tif 000008
【図８】
0004721884.tif 000009